(57)【特許請求の範囲】
【請求項１】
板状の把持部と、該把持部の下端にくるぶしの下を押圧する２つの突起とを有し、前記２つの突起を、互いに向かい合う側で、かつ、把持部の一面側に向かって傾斜させ、前記２つの突起により前記くるぶしの下の筋肉をほぐすことで捻挫を緩和することを特徴とする捻挫緩和器具。
【請求項２】
前記把持部は、側端に２つの山部を有することを特徴とする請求項１に記載の捻挫緩和器具。
【請求項３】
把持部と、該把持部の下端にくるぶしの下と上を押圧する２組の２つの突起とを有し、前記２つの突起を、互いに向かい合う側で、かつ、把持部の中央に向かって傾斜させ、前記２つの突起により前記くるぶしの下の筋肉をほぐすことで捻挫を緩和することを特徴とする捻挫緩和器具。
【請求項４】
前記把持部は、基部と、該基部の上面に突出する円柱部とからなり、円柱部から基部まで中央に貫通孔を有することを特徴とする請求項３に記載の捻挫緩和器具。
【発明の詳細な説明】
【技術分野】
【０００１】
本発明は足首の捻挫を緩和し、腰・膝への負担を軽減する捻挫緩和器具に関する。
【背景技術】
【０００２】
捻挫は外力により関節が許容範囲を超えることによって生じる損傷であり、患部に痛みや腫脹、熱感などの炎症を生じる。足関節の捻挫には、内反捻挫と外反捻挫があり、患部の炎症だけでなく、腰や膝にも痛みを伴う場合もある。また、軽い捻挫で患部に炎症を生じない場合や、捻挫に覚えがなくても、腰や膝に痛みを感じることがある。腰や膝の痛みは、足首の捻挫が一つの要因となっている。
【０００３】
内反捻挫の場合、腰や膝が痛むのは、腓骨筋（腓骨筋腱を含む）が固縮していることによる。腓骨筋は、腓骨の外側にあって、足裏から外くるぶし（外果）の下を通って膝下の腓骨頭まで伸びている筋肉であり、歩いたり、走ったり、飛んだり、跳ねたりする基本動作で必要である。腓骨筋腱は外くるぶしの下で腓骨筋支帯により押さえられている。頻繁に捻挫を起こしたり、くるぶしの下が痛むのも、腓骨筋の固縮が原因である。
【０００４】
外反捻挫の場合は、足裏から内くるぶし（内果）の下を通って膝下まで伸びている後脛骨筋や長趾屈筋が固縮する。      
【０００５】
捻挫によるくるぶしの下の痛みや、腰や膝の痛みを緩和するには、このような腓骨筋や後脛骨筋、長趾屈筋をほぐすことが必要である。また、固縮した腓骨筋や後脛骨筋、長趾屈筋のうち硬直した部分を探しあてて、その部分を集中的にもみほぐすことも効果的である。
【０００６】
従来、筋肉をほぐすことを主体とした器具は存在しないが、人体のつぼを押す２つの突起を有するものとして、特許文献１、特許文献２があり、４つの突起を有するものとして特許文献３、特許文献４がある。しかし、これらは、つぼに押し付けるものであり、捻挫に関係するくるぶしの周りの筋腱や腓骨や脛骨に沿った筋肉をほぐすには適していない。
【先行技術文献】
【特許文献】
【０００７】
【特許文献１】特開２００１−４６４６６号公報
【特許文献２】実開平６−３４６３２号公報
【特許文献３】実開昭５３−４００９４号公報
【特許文献４】実用新案登録第３１７８１１４号公報
【発明の概要】
【発明が解決しようとする課題】
【０００８】
本発明は、前記従来の問題点に鑑みてなされたもので、固縮した筋肉をもみほぐすことで足首の捻挫を緩和し、腰・膝への負担を軽減する捻挫緩和器具を提供することを課題とする。
【課題を解決するための手段】
【０００９】
前記課題を解決するための手段として、本発明の捻挫緩和器具は、板状の把持部と、該把持部の下端にくるぶしの下を押圧する２つの突起とを有し、前記２つの突起を、互いに向かい合う側で、かつ、把持部の一面側に向かって傾斜させ、前記２つの突起により前記くるぶしの下の筋肉をほぐすことで捻挫を緩和するものである。
【００１０】
この捻挫緩和器具の把持部を持って２つの突起を例えば外くるぶしの下に押し当てることで、腓骨筋を安定した状態で押さえることができる。また２つの突起が互いに向かい合う側で、かつ、把持部の一面側に向かって傾斜しているため、くるぶしに回り込んだ筋肉の痛みのある要所部分をとらえて、効果的に押さえることができる。
【００１１】
前記把持部は板状で、側端に２つの山部を有することが好ましい。捻挫緩和器具の２つの突起を患部に押し付けたために痛みを感じた場合は、この２つの山部を筋肉に沿って摩ることで、痛みをとり、筋肉をほぐすことができる。
【００１２】
前記課題を解決するための他の手段として、本発明の捻挫緩和器具は、把持部と、該把持部の下端にくるぶしの下と上を押圧する２組の２つの突起とを有し、前記２つの突起を、互いに向かい合う側で、かつ、把持部の中央に向かって傾斜させ、前記２つの突起により前記くるぶしの下の筋肉をほぐすことで捻挫を緩和するものである。
【００１３】
この捻挫緩和器具の把持部を持って２組の２つの突起を例えば外くるぶしの下と上に押し当てることで、腓骨筋を安定した状態で押さえることができる。また２つの突起が互いに向かい合う側で、かつ、把持部の中央に向かって傾斜しているため、くるぶしに回り込んだ筋肉の痛みのある要所部分をとらえて、効果的に押さえることができる。
【００１４】
前記把持部は、基部と、該基部の上面に突出する円柱部とからなり、円柱部から基部まで中央に貫通孔を有することが好ましい。把持部を握るときに貫通孔に人差し指を入れることで把持をしっかりと握ることができ、２つの突起を患部により安定してかつ十分に押さえることができる。
【発明の効果】
【００１７】
本発明の捻挫緩和器具によれば、固縮した筋肉をもみほぐすことで足首の捻挫を緩和し、腰・膝への負担を軽減することができる。
【図面の簡単な説明】
【００１８】
【図１】本発明の第１実施形態に係る捻挫緩和器具の正面図（a）及び側面図（ｂ）である。
【図２】図１の捻挫緩和器具の適用箇所を示す人体足関節部の後面図である。
【図３】図１の捻挫緩和器具の適用箇所を示す人体下肢の外側面図である。
【図４】図１の捻挫緩和器具の適用箇所を示す人体下肢の内側面図である。
【図５Ａ】図１の捻挫緩和器具の適用箇所を示す図４のＶ−Ｖ線における人体下肢の断面図である。
【図５Ｂ】図１の捻挫緩和器具の押当時の状況を示す図４のＶ−Ｖ線における人体下肢の断面図である。
【図６】本発明の第２実施形態に係る捻挫緩和器具の斜視図である。
【図７】図６の捻挫緩和器具の正面図である。
【図８】図６の捻挫緩和器具の底面図である。
【図９】図６の捻挫緩和器具の適用箇所を示す人体足関節部の内側面図である。
【図１０Ａ】図６の捻挫緩和器具の適用箇所を示す人体下肢の断面図である。
【図１０Ｂ】図６の捻挫緩和器具の押当時の状況を示す人体下肢の断面図である。
【発明を実施するための形態】
【００１９】
次に、添付図面を参照して本発明の実施の形態を説明する。
【００２０】
図１は、本発明の第１実施形態に係る捻挫緩和器具１を示す正面図及び側面図である。この捻挫緩和器具１は、把持部２と２つの突起３a、３ｂとからなっている。捻挫緩和器具１は、桐などの木材、ゴム、プラスチックで形成することができる。
【００２１】
把持部２は、略矩形の板状であり、手で握りやすいように角や辺縁には丸みが設けられている。把持部２の大きさは、幅５〜６ｃｍ、高さ５〜６ｃｍ、厚さ１〜１．５ｃｍが好ましいが、これに限るものではない。把持部２の両側端は、外側になだらかに湾曲する２つの山部４a、４ｂが形成され、山部４a、４ｂの間は谷部５となっている。山部４a、４ｂの間隔は、４〜５ｃｍが好ましいがこれに限るものではない。
【００２２】
２つの突起３a、３ｂは、把持部２の下端に設けられ、互いに向かい合う側で、かつ、把持部２の一面側に向かって傾斜している。換言すれば、２つの突起３a、３ｂは、正面から見て把持２部の中心線６に向かう側に湾曲して傾斜するとともに、側面から見て背面から正面に向かう方向に湾曲して傾斜している。２つの突起３a、３ｂは、先端に向かって細くなるように形成され、先端の間隔は３．５〜５ｃｍが好ましい。
【００２３】
捻挫緩和器具１は、治療者又は本人が把持部２を握って、図２に示すように、捻挫した足首のくるぶしＡ１、Ａ２の下に２つの突起３a、３ｂを押し当てる。具体的には、内反捻挫の場合は、外くるぶし（外果）Ａ１の下方にある腓骨筋Ｃに押し当てる。外反捻挫の場合は、脛骨Ｄの下端の内くるぶし（内果）Ａ２の下方にある後脛骨筋Ｅや長趾屈筋Ｆに押し当てる。突起３a、３ｂが１対あることで、筋肉Ｃ，Ｅ，Ｆを安定した状態で抑えることができる。また、２つの突起３a、３ｂは、互いに向かい合う側で、かつ、把持部２の一面側に向かって傾斜しているため、突起３a、３ｂをくるぶしＡ１，Ａ２の内側に押し込むように押し当てることができ、くるぶしＡ１，Ａ２に回りこんでいる筋肉Ｃ，Ｅ，Ｆの痛みのある要所部分をとらえて、効果的に押さえることができる。これにより、捻挫によって固縮した腓骨筋Ｃや後脛骨筋Ｅ、長趾屈筋Ｆをほぐすことができ、痛みを緩和することができる。また、捻挫により腰や膝に痛みが生じていても、筋肉をほぐすことにより、腰や膝の痛みを緩和することができる。
【００２４】
捻挫緩和器具１の２つの突起３a、３ｂを患部に押し当ててもみほぐしている間に痛くなったときは、把持部２の側端を患部に当てて摩るようにすると、痛みを緩和することができる。把持部２の側端は２つの山部４a、４ｂを有していて、皮膚との接触面積が少ないので、患部を摩っている間に皮膚が熱くなって火傷を負うのを防止することができる。
【００２５】
また、捻挫緩和器具１は、くるぶしＡ１，Ａ２の下だけでなく、図３に示すように、腓骨Ｂに沿って伸びる腓骨筋Ｃ１、Ｃ２に押し当てて筋肉をほぐすこともできる。この場合でも、２つの突起３a、３ｂは傾斜しているため、長腓骨筋Ｃ１の内側に回り込む短腓骨筋Ｃ２に対しても有効に押し当ててほぐすことができる。
【００２６】
また、図４に示すように、脛骨Ｄに沿って伸びる後脛骨筋Ｅや長趾屈筋Ｆに押し当てて筋肉をほぐすこともできる。押し当てる箇所は、脛骨Ｄの延びる方向の３か所でよい。この場合、図５Ａ，図５Ｂに示すように、２つの突起３a、３ｂは傾斜しているため、脛骨Ｄの内側縁Ｇより深い位置にある長趾屈筋Ｆや該長趾屈筋Ｆよりさらに深い位置にある後脛骨筋Ｅに対して有効に押し当ててほぐすことができる。  
【００２７】
図６は、本発明の第２実施形態に係る捻挫緩和器具１１を示す斜視図、図７，８はその正面図及び底面図である。この捻挫緩和器具１１は、把持部１２と２組の２つの突起１３ａ、１３ｂ、１３ｃ、１３ｄとからなっている。捻挫緩和器具１１は、第１実施形態の捻挫緩和器具１と同様に、桐などの木材、ゴム、プラスチックで形成することができる。
【００２８】
把持部１２は、基部１４と、該基部１４の上面に突出する円柱部１５とからなっている。基部１４は４つの角に丸みがある矩形の板状であるが、円形の板状でもよい。基部１４は、５〜６ｃｍの正方形で、厚さ１〜１．５ｃｍが好ましいが、これに限るものではない。円柱部１５は、径３．５〜４、５ｃｍ、高さ１．５〜２ｃｍが好ましいが、これに限るものではない。把持部１２には、円柱部１５から基部１４まで中央に貫通孔１６が形成されている。貫通孔１６の径は、人差し指や親指が入る大きさで、２〜２．５ｃｍの円形が好ましいが、楕円形でも構わない。
【００２９】
２組の２つの突起１３ａ、１３ｂ、１３ｃ、１３ｄは、把持部１２の基部の下端、すなわち、基部１４の下面の４つの角部に設けられ、互いに向かい合う側で、かつ、把持部１２の中央に向かって傾斜している。換言すれば、２組の２つの突起１３ａ、１３ｂ、１３ｃ、１３ｄは、正面又は側面から見て把持部１２の中心線１７に向かう側に湾曲して傾斜するとともに、底面から見て把持部１２の中央に向かう方向に湾曲して傾斜している。２組の２つの突起１３ａ、１３ｂ、１３ｃ、１３ｄは、先端に向かって細くなるように形成され、先端の間隔は３．５〜５ｃｍが好ましい。
【００３０】
第２実施形態の捻挫緩和器具１１は、第１実施形態の捻挫緩和器具１が２つの突起３a、３ｂが１組であるのに対して、２組の２つの突起１３ａ、１３ｂ、１３ｃ、１３ｄを有していることが大きな相違であるが、使用方法及びその作用効果は第１実施形態の捻挫緩和器具１とほぼ同様である。ただ、第２実施形態の捻挫緩和器具１１では、図９に示すように、２組の２つの突起１３ａ、１３ｂ、１３ｃ、１３ｄを例えばくるぶしＡ２の下と上に押し当てて使用する。また、脛骨Ｄに沿った位置で使用する場合は、図１０Ａに示すように、１組目の２つの突起１３ａ、１３ｂを脛骨Ｄの内側縁Ｇと長趾屈筋Ｆの間に当て、２組目の２つの突起１３ｃ、１３ｄを脛骨Ｄの前縁Ｈと前脛骨筋Ｉの間に当てて、図１０Ｂに示すように、脛骨Ｄを掴みように押し付ける。このように、第２実施形態の捻挫緩和器具１１は、２組の２つの突起１３ａ、１３ｂ、１３ｃ、１３ｄを有しているため、筋肉をより安定した状態で押さえることができる。
【００３１】
前記２つの実施形態では、捻挫緩和器具１，１１の構成と、捻挫緩和器具１，１１による捻挫の緩和、さらに腰及び膝の痛みの緩和について説明したが、本発明の捻挫緩和器具１，１１は、固縮した筋肉の硬直した部分を探しあてて捻挫を確認することにも使用することができる。
【００３２】
具体的に説明すれば、捻挫と気が付かない程度に軽く足首を捩じったり、運動不足や老化による腓骨筋の固縮により、くるぶしの下が痛んだり、腰や膝が痛む患者の場合、２つの突起１３ａ、１３ｂ又は１３ｃ、１３ｄを足首の例えば外くるぶしＡ１の周りの腓骨筋Ｃに押し当てて、弾力の有無によって、あるいは患者が感じる痛みの有無によって捻挫であることを確認できる。このようにして、腓骨筋Ｃの硬直した部分を探し当てて、その部分を集中的にほぐすことで、くるぶしの下の痛みや、腰・膝の痛みを緩和することができる。
【００３３】
また、本発明の捻挫緩和器具１，１１は、捻挫の緩和だけでなく、２つの突起１３ａ、１３ｂ又は１３ｃ、１３ｄをリンパ管やリンパ節に押し付けることで、リンパの流れを良くし、むくみや各種の病状を改善することができる。さらに、くるぶしＡ１，Ａ２や、腓骨Ｂ、脛骨Ｄに沿った位置には多くのつぼ（経穴）や反射区があるので、これらのつぼや反射区を２つの突起１３ａ、１３ｂ又は１３ｃ、１３ｄで押し付けることで各種の病状を改善することができる。
【００３４】
特に、捻挫緩和器具１１の２組の２つの突起１３ａ、１３ｂ、１３ｃ、１３ｄを、内くるぶしの周りに存在する鼠蹊部、下半身リンパ線、股関節、陰茎・膣・尿道、腰椎、仙骨、膀胱、子宮・前立腺、直腸・肛門等の反射区や、外くるぶしの周りに存在する上半身リンパ腺、股関節、膝、生殖腺、下腹部等の反射区にぴたりと押し付けることができ、これらの反射区に対応する内臓や各器官を活発にすることができる。本発明者は、突起１３ａ、１３ｂ、１３ｃ、１３ｄの対角位置にある一方の反射区に痛みがある患者は、他方の反射区にも痛みがあることを経験的に知見している、このため、１つの反射区の痛みを探し当ててそこに例えば突起１３ａを押し当てれば、突起１３ａに押し当てられている反射区と、対角位置にある突起１３ｄに押し当てられている反射区にそれぞれ対応する内臓や器官の活動が活発化し、症状が緩和される。
【符号の説明】
【００３５】
１  捻挫緩和器具
２  把持部
３a、３ｂ  ２つの突起
４  山部
１１  捻挫緩和器具
１２  把持部
１３ａ、１３ｂ、１３ｃ、１３ｄ  ２組の２つの突起
１４  基部
１５  円柱部
１６  貫通孔
【要約】
【課題】固縮した筋肉をもみほぐすことで足首の捻挫を緩和し、腰・膝への負担を軽減する。
【解決手段】捻挫緩和器具は、板状の把持部と、該把持部の下端にくるぶしの下を押圧する２つの突起とを有し、前記２つの突起を、互いに向かい合う側で、かつ、把持部の一面側に向かって傾斜させ、前記２つの突起により前記くるぶしの下の筋肉をほぐすことで捻挫を緩和するものである。
【選択図】図１【図１】
0005676809.tif 000002
【図２】
0005676809.tif 000003
【図３】
0005676809.tif 000004
【図４】
0005676809.tif 000005
【図５Ａ】
0005676809.tif 000006
【図５Ｂ】
0005676809.tif 000007
【図６】
0005676809.tif 000008
【図７】
0005676809.tif 000009
【図８】
0005676809.tif 000010
【図９】
0005676809.tif 000011
【図１０Ａ】
0005676809.tif 000012
【図１０Ｂ】
0005676809.tif 000013